(57)【要約】      （修正有）【課題】棚板１５を設置する箇所を幅方向に自由に選択することができて、かつ様々な棚板１５の交換部品を安価にできる浴室壁面用ミラー１を提供することである。【解決手段】鏡５の上下端を壁１０に固定された係合部品２０に係止して、下端側の係合部品２０に棚板１５を取付けてなる浴室壁面用ミラー１において、下端側の係合部品２０であるコ字型係合部材２１が鏡５の幅と同等長さを備えて前方向に開口２２を有するように壁１０に固定され、前記コ字型係合部材２１の全長に亙ってその上片２３上に鏡５を載せて、コ字型係合部材２１の長さよりも幅狭な棚板１５の後端部１６を前記開口２２に嵌め込んで取付けると共に、さらに前記開口２２に嵌め込まれた棚板１５の側方にもＬ字型開口カバー部材３５の一辺３６を嵌め込んで取付けることにより、前記開口２２の全長を塞ぎつつＬ字型開口カバー部材３５の他辺３７で鏡５の下端を当て止めて係止しているものである。【選択図】図１
2006122145.tif 000002
【特許請求の範囲】
【請求項１】
鏡の上下端を壁に固定された係合部品に係止して、下端側の係合部品に棚板を取付けてなる浴室壁面用ミラーにおいて、下端側の係合部品であるコ字型係合部材が鏡の幅と同等長さを備えて前方向に開口を有するように壁に固定され、前記コ字型係合部材の全長に亙ってその上片上に鏡を載せて、コ字型係合部材の長さよりも幅狭な棚板の後端部を前記開口に嵌め込んで取付けると共に、さらに前記開口に嵌め込まれた棚板の側方にもＬ字型開口カバー部材の一辺を嵌め込んで取付けることにより、前記開口の全長を塞ぎつつＬ字型開口カバー部材の他辺で鏡の下端を当て止めて係止していることを特徴とする浴室壁面用ミラー。
【請求項２】
前記棚板の後端部の上面に棚板の幅と略同じ長さのＬ字型スペーサ部材の一片を重ね合わせた状態で棚板の後端部とともにＬ字型スペーサ部材の一片を前記開口に嵌め込んで係止することにより、前記Ｌ字型スペーサ部材の他片でも鏡の下端を当て止めて係止していることを特徴とする請求項１に記載の浴室壁面用ミラー。
【請求項３】
前記棚板の端部が、コ字型係合部材の下片に設けられたねじ穴に螺合しているねじ部材によりコ字型係合部材の上片に向けて押圧されて係止されていることを特徴とする請求項１または２に記載の浴室壁面用ミラー。
【請求項４】
前記コ字型係合部材が、中央片が上方向に延出された延出片を有することにより、鏡と壁との間に隙間を備えるように成していることを特徴とする請求項１から３のいずれかに記載の浴室壁面用ミラー。
【発明の詳細な説明】
【技術分野】
【０００１】
本願発明は、ユニットバスや通常の浴室において、壁面に据え付けられるミラーの下部に棚を設けた浴室壁面ミラーに関する。
【背景技術】
【０００２】
従来から、鏡の上下端を壁に固定された係合部品に係止して、下端側の係合部品に棚板を取付けてなる浴室壁面用ミラーが知られている（例えば、特許文献１）
そして、このような浴室壁面用ミラーの場合、壁に固定された上方向への開口を有する２個の下側支持金具と後端部に立設して形成された受け皿固定片より外側に折り返して延出された係止片を有する受け皿とを備えて、受け皿の係止片をこの２個の下側支持金具の開口に嵌め込んで、下端側の係合部品である下側支持金具に棚板である受け皿を取付けている。これにより、洗髪や洗顔の際において、目が見難い場合でも、棚板を捜し易い位置である鏡の下端に容易に設けることを可能にするものであった。
【０００３】
しかしながら、上記の浴室壁面用ミラーの場合、係合部品は鏡の下端に部分的に２個取付けられており、棚板を安定的に支持するためにこの下端側の係合部品を架橋するように棚板の係止片を嵌め込む必要がある。そのため、棚板を設置する箇所を幅方向において自由に選択することができないという不具合がある。また、鏡の下端側に３個以上の係合部品を取付けて、そのいずれか２個の係合部品に棚板の係止片を嵌め込むようにしても良いが、その場合開口が塞がれていない状態で係合部品が１個以上残る。そのため、小さい子供等がその中に指を入れたりしてケガをする畏れが生じる。さらには、上記の浴室壁面用ミラーの場合、棚板の後端部に受け皿固定片や係止片を備える必要があり、棚板の形状としても複雑なものとなっている。そのため、大きさや色彩等を変化させた様々なバリエーションの棚板の交換部品を安価に提供することが困難である。
【特許文献１】特開平０７−１０００２２号公報
【発明の開示】
【発明が解決しようとする課題】
【０００４】
そこで、本願発明は、上記背景技術に鑑みて発明されたものであり、その課題は、棚板を設置する箇所を幅方向において自由に選択することができて、かつ様々なバリエーションの棚板の交換部品を安価に提供することが可能な浴室壁面用ミラーを提供することである。
【課題を解決するための手段】
【０００５】
上記課題を解決するために、本願発明の浴室壁面用ミラーは、鏡の上下端を壁に固定された係合部品に係止して、下端側の係合部品に棚板を取付けてなる浴室壁面用ミラーにおいて、下端側の係合部品であるコ字型係合部材が鏡の幅と同等長さを備えて前方向に開口を有するように壁に固定され、前記コ字型係合部材の全長に亙ってその上片上に鏡を載せて、コ字型係合部材の長さよりも幅狭な棚板の後端部を前記開口に嵌め込んで取付けると共に、さらに前記開口に嵌め込まれた棚板の側方にもＬ字型開口カバー部材の一辺を嵌め込んで取付けることにより、前記開口の全長を塞ぎつつＬ字型開口カバー部材の他辺で鏡の下端を当て止めて係止しているものである。
【発明の効果】
【０００６】
本願発明の浴室壁面用ミラーにおいては、棚板を設置する箇所を幅方向において自由に選択することができて、かつ様々なバリエーションの棚板の交換部品を安価に提供できる。
【発明を実施するための最良の形態】
【０００７】
図１は本願発明の請求項１乃至４に対応した実施形態１の浴室壁面用ミラー１の全体斜視図を、図２は図１の浴室壁面用ミラー１の断面図を、図３は図１の浴室壁面用ミラー１の分解斜視図を示している。この実施形態で用いる浴室壁面用ミラー１は、鏡５の上下端を壁１０に固定された係合部品２０に係止して、下端側の係合部品２０に棚板１５を取付けてなる浴室壁面用ミラー１において、下端側の係合部品２０であるコ字型係合部材２１が鏡５の幅と同等長さを備えて前方向に開口２２を有するように壁１０に固定され、前記コ字型係合部材２１の全長に亙ってその上片２３上に鏡５を載せて、コ字型係合部材２１の長さよりも幅狭な棚板１５の後端部１６をこの開口２２に嵌め込んで取付けると共に、さらに開口２２に嵌め込まれた棚板１５の側方にもＬ字型開口カバー部材３５の一辺３６を嵌め込んで取付けることにより、開口２２の全長を塞ぎつつＬ字型開口カバー部材３５の他辺３７で鏡５の下端を当て止めて係止しているものである。
【０００８】
又、この実施形態で用いる浴室壁面用ミラー１は、棚板１５の後端部１６の上面に棚板１５の幅と略同じ長さのＬ字型スペーサ部材４０の一片４１を重ね合わせた状態で棚板１５の後端部１６とともにＬ字型スペーサ部材４０の一片４１を開口２２に嵌め込んで係止することにより、Ｌ字型スペーサ部材４０の他片４２でも鏡５の下端を当て止めて係止しているものである。
【０００９】
又、この実施形態で用いる浴室壁面用ミラー１は、棚板１５の端部が、コ字型係合部材２１の下片２４に設けられたねじ穴２５に螺合しているねじ部材４５によりコ字型係合部材２１の上片２３に向けて押圧されて係止されているものである。
【００１０】
又、この実施形態で用いる浴室壁面用ミラー１は、コ字型係合部材２１が、中央片２６が上方向に延出された延出片２８を有することにより、鏡５と壁１０との間に隙間５０を備えるように成しているものである。
【００１１】
以下、この実施形態の浴室壁面用ミラー１を、より具体的に説明する。この実施形態の浴室壁面用ミラー１は、図１・２に示すように、幅長の略長方形形状の鏡５を、その上端を壁１０に固定されたＵ字型係合部材３０の開口３１に嵌め込んで、かつその下端を壁１０に固定されたコ字型係合部材２１の上に載せると共に、鏡５の下端の前面をコ字型係合部材２１に取付けられたＬ字型開口カバー部材３５及びその側方に取付けられたＬ字型スペーサ部材４０で当て止めて係止しているものである。また、Ｌ字型開口カバー部材３５の側方の部位には、棚板１５がＬ字型スペーサ部材４０の一片４１と重ね合せた状態でコ字型係合部材２１に取付けられており、ハブラシや剃刀等の浴室用具をその上に置くことができるようになっているものである。
【００１２】
係合部品２０は、下方向への開口３１を備えて壁１０に固定された略Ｕ字形状の棒状体であるＵ字型係合部材３０と、前方向への開口２２を備えて壁１０に固定された略コ字形状の中央片２６が上方向に延出された延出片２８を備えた棒状体であるコ字型係合部材２１と、よりなっている。そして、Ｕ字型係合部材３０及びコ字型係合部材２１は、鏡５を安定的に係止することができるように、鏡５の幅と同等程度の長さを備えているものである。さらに、Ｕ字型係合部材３０及びコ字型係合部材２１は、鏡５の高さと同等程度の間隔を空けて壁１０に固定されているものである。また、Ｕ字型係合部材３０の開口３１の幅は鏡５の厚みよりも若干大きいものとなっており、その開口３１に容易に鏡５の上端を挿入して係止することが可能なものとなっている。また、コ字型係合部材２１の上片２３および下片２４の長さも、鏡５の下端を支持すると共にＬ字型開口カバー部材３５およびＬ字型スペーサ部材４０で鏡５の下端の前面を当て止めし易いように、鏡５の厚みよりも若干大きくなっているものである。そして、コ字型係合部材２１の開口２２の内面である上片２３の下面および下片２４の上面には、Ｌ字型開口カバー部材３５を係止するための凹部２７を備えているものである。さらには、その下片２４にねじ穴２５が複数箇所に亙って設けられており、鏡５の幅方向に自由に配された棚板１５をその直下に位置するねじ穴２５にねじ部材４５を螺合させて、棚板１５をコ字型係合部材２１の上片２３に向けて押圧して係止することが可能なものとなっている。
【００１３】
Ｌ字型開口カバー部材３５は、断面が略Ｌ字形状の棒状体であり、その長さはコ字型係合部材２１の長さと棚板１５の幅との差と同等程度となっているものである。また、Ｌ字型開口カバー部材３５の一辺３６は、コ字型係合部材２１の開口２２とほぼ同様な外形状を備えており、かつ中央部の上下面にはコ字型係合部材２１の凹部２７に嵌め込まれて抜け止めとなる凸部３８が形成されているものである。そして、Ｌ字型開口カバー部材３５の他辺３７は、その一辺３６の前端より上方向に立設したものとなっており、一辺３６をコ字型係合部材２１の開口２２に嵌め込んで係止することにより、鏡５の下端の前面を他辺３７に当て止めて鏡５を係止することが可能なものとなっている。
【００１４】
棚板１５は、コ字型係合部材２１の長さよりも幅狭で、かつその上面にハブラシや剃刀等の浴室用具を載せることが可能な長さを備えた平板となっているものである。そして、棚板１５の上に浴室用具が載せられた際には他の部位よりも大きな曲げモーメントが係合箇所の近傍で発生するので、棚板１５の後端部１６の厚みはコ字型係合部材２１の開口２２に嵌め込むことが可能な範囲で棚板１５の他の部位よりも厚くなるように形成されているものとなっている。
【００１５】
Ｌ字型スペーサ部材４０は、Ｌ字型開口カバー部材３５と同様に断面がＬ字形状の棒状体であり、その長さは棚板１５の幅と同等程度となっている。また、Ｌ字型スペーサ部材４０の一片４１の厚さは、棚板１５の後端部１６と重ね合わされて、コ字型係合部材２１の開口２２に挿入可能なように設定されているものである。そして、棚板１５の後端部１６と重ね合された状態でコ字型係合部材２１の開口２２に嵌め込まれて、コ字型係合部材２１の下片２４のねじ穴２５に螺合しているねじ部材４５によりコ字型係合部材２１の上片２３に向けて押圧されて係止されているものである。また、Ｌ字型スペーサ部材４０の一片４１の端部より上方向に立設している他片４２の高さはＬ字型開口カバー部材３５の他辺３７の高さと略同じ高さとなっており、Ｌ字型開口カバー部材３５とＬ字型スペーサ部材４０とがコ字型係合部材２１に取付けられて、Ｌ字型開口カバー部材３５の他辺３７とＬ字型スペーサ部材４０の他片４２とで段差等がない状態で鏡５の下端の前面を当て止めて係止することが可能なものとなっている。
【００１６】
つぎに、この実施形態の浴室壁面用ミラー１の組み立て方法を、より具体的に説明する。図３には、この実施形態の浴室壁面用ミラー１を分解したときの分解斜視図を示している。まず、係合部品２０のＵ字型係合部材３０を、床面と平行で、かつその開口３１が下方向を向くようにねじ止めや接着剤等を用いて壁１０に固定する。そして、Ｕ字型係合部材３０から鏡５の高さと同等程度に離れた下方位置に、Ｕ字型係合部材３０と略平行となるように、ねじ止めや接着剤等を用いて係合部品２０であるコ字型係合部材２１を壁１０に固定する。このときには、コ字型係合部材２１の開口２２は前方向を向くように固定されているものである。つぎに、鏡５の上端をＵ字型係合部材３０の全長に亙ってその開口３１に嵌め込んで、その下端をコ字型係合部材２１の全長に亙ってその上片２３の上に載せて、鏡５を所定の位置に配置する。その後、棚板１５の後端部１６の上面に棚板１５の幅と略同じ長さのＬ字型スペーサ部材４０の一片４１を重ね合わせた状態で棚板１５の後端部１６とともにＬ字型スペーサ部材４０の一片４１を、コ字型係合部材２１の開口２２に嵌め込む。さらに、コ字型係合部材２１の下片２４に設けられたねじ穴２５にねじ部材４５を螺合させて、コ字型係合部材２１の上片２３に向けて棚板１５の後端部１６及びＬ字型スペーサ部材４０の一片４１を押圧することにより、棚板１５及びＬ字型スペーサ部材４０をコ字型係合部材２１に係止する。また、この係止により、鏡５のＬ字型スペーサ部材４０の他片４２が鏡５の下端の前面を当て止めて鏡５を係止するものとなっている。つぎに、コ字型係合材の開口２２に嵌め込まれた棚板１５の側方にもＬ字型開口カバー部材３５の一辺３６を嵌め込んで取付けて、コ字型係合材の開口２２の全長を塞ぎつつＬ字型開口カバー部材３５の他辺３７で鏡５の下端を当て止めて係止し、この実施形態の浴室壁面用ミラー１の組み立てを終了するものである。さらに、鏡５をより安定的に保持するためには、鏡５とコ字型係合部材２１との間に接着剤を塗布して、鏡５とコ字型係合部材２１とを接着固定しても良いし、またコ字型係合部材２１の上片２３及び下片２４を貫通するネジ穴を設けて、そのネジ穴にコ字型係合部材２１の下方よりネジを螺合させることにより、鏡５をＵ字型係合部材３０に押圧して固定しても良いものである。
【００１７】
以上の構成を備えることにより、この実施形態で用いる浴室壁面用ミラー１においては、鏡５の上下端を壁１０に固定された係合部品２０に係止して、下端側の係合部品２０に棚板１５を取付けてなる浴室壁面用ミラー１において、下端側の係合部品２０であるコ字型係合部材２１が鏡５の幅と同等長さを備えて前方向に開口２２を有するように壁１０に固定され、コ字型係合部材２１の全長に亙ってその上片２３上に鏡５を載せて、コ字型係合部材２１の長さよりも幅狭な棚板１５の後端部１６を開口２２に嵌め込んで取付けると共に、さらに開口２２に嵌め込まれた棚板１５の側方にもＬ字型開口カバー部材３５の一辺３６を嵌め込んで取付けることにより、開口２２の全長を塞ぎつつＬ字型開口カバー部材３５の他辺３７で鏡５の下端を当て止めて係止しているので、棚板１５を設置する箇所を幅方向に自由に選択することができて、かつ様々なバリエーションの棚板１５の交換部品を安価に提供することができるものである。
【００１８】
又、この実施形態で用いる浴室壁面用ミラー１は、棚板１５の後端部１６の上面に棚板１５の幅と略同じ長さのＬ字型スペーサ部材４０の一片４１を重ね合わせた状態で棚板１５の後端部１６とともにＬ字型スペーサ部材４０の一片４１を開口２２に嵌め込んで係止することにより、Ｌ字型スペーサ部材４０の他片４２でも鏡５の下端を当て止めて係止しているので、棚板１５が嵌め込まれている部分でも鏡５の抜け止めがなされて、鏡５をより安定して保持することができるものである。
【００１９】
又、この実施形態で用いる浴室壁面用ミラー１は、棚板１５の端部が、コ字型係合部材２１の下片２４に設けられたねじ穴２５に螺合しているねじ部材４５によりコ字型係合部材２１の上片２３に向けて押圧されて係止されているので、市販のネジ等を用いて容易に棚板１５を係止することができ、施工性が向上するものである。
【００２０】
又、この実施形態で用いる浴室壁面用ミラー１は、コ字型係合部材２１が、中央片２６が上方向に延出された延出片２８を有することにより、鏡５と壁１０との間に隙間５０を備えるように成しているので、施工時に鏡５の後面が壁１０にあたって壁１０にキズがつく不具合を防止できるものである。
【図面の簡単な説明】
【００２１】
【図１】本願発明の実施形態に係る浴室壁面用ミラーの全体斜視図。
【図２】本願発明の実施形態に係る図１の（ａ）Ａ−Ａ断面図（ｂ）Ｂ−Ｂ断面図。
【図３】本願発明の実施形態に係る図１の分解斜視図。
【符号の説明】
【００２２】
１    浴室壁面用ミラー
５    鏡
１０  壁
１５  棚板
１６  後端部
２０  係合部品
２１  コ字型係合部材
２２  開口
２３  上片
２４  下片
２５  ねじ穴
２６  中央片
２７  凹部
２８  延出片
３０  Ｕ字型係合部材
３１  開口
３５  Ｌ字型開口カバー部材
３６  一辺
３７  他辺
３８  凸部
４０  Ｌ字型スペーサ部材
４１  一片
４２  他片
４５  ねじ部材
５０  隙間
【図１】
2006122145.tif 000003
【図２】
2006122145.tif 000004
【図３】
2006122145.tif 000005